(57)【要約】      （修正有）【課題】毛皮を持つ動物でも体内音を集音できるようにする体内音集音装置の提供。【解決手段】マイクロフォン４の集音面にシート状の集音部２を張り、集音部に柔らかいスポンジ状の接触部１をつけ、必要に応じて集音部を安定させるため補てい部３を設け、毛の擦れによるノイズを軽減し、体表面に対する接触効率を高めた体内音集音装置。【選択図】図２
2016107028.tif 000002
【特許請求の範囲】
【請求項１】
毛皮の上からも体内音が効果的に集音できる集音装置。
【発明の詳細な説明】
【技術分野】
【０００１】    本発明は、毛皮の上からでも集音できる体内音集音装置である。
【背景技術】
【０００２】    体内音を集音することにより、心音や呼吸音、内蔵の動作音などを通して生体に関わる有益な情報を得ることができる。【０００３】    毛皮を持つ動物の心拍を測定する際、心電位を測定して心拍数を算出する方法は剃毛や導電性ゲルの塗布などの処置を必要とし、動物に負担を与えるものであった。そのため、動物の日常心拍数などの情報は価値が高い情報であるにも関わらず、簡易な測定、利用が困難であった。そこに、心電計に換わる心拍測定装置として、毛皮を持つ動物に利用できる体内音集音装置の需要がある。また、体内音の集音が容易になることによって、呼吸音や内蔵の動作音、掻破音他の生体情報も得ることが可能になり、これらの情報も利用価値が高い。つまり、体内音の集音が簡易になることよって生体情報収集および解析の新たな可能性が開かれる。本発明の利用範囲は毛皮を持つ動物に限られるものではない。【０００４】    従来の体内音集音装置にはいくつかの問題があった。聴診器などに代表される金属等で作られたベル型集音装置は固く、重く、また熱伝導性が高いことから冷たい感触を与えるなどの不快感を伴う傾向があり、体表に長時間密着させるには負担が伴う。【０００５】    マイクロフォンをシリコン等で覆って体内音の集音性を高めるタイプの体内音集音装置はシリコンなどの素材が時間経過とともに変質し、導音性が変化するため長期利用には向かない傾向にある。また変質による導音性変化の問題がない素材は入手が困難である。【０００６】    本発明は、身体的な負担が少なく、長期利用に耐え、集音性に優れ、かつ調達が容易で安価な部品で作ることができる体内音集音装置である。
【先行技術文献】
【０００７】
【特許文献】
【特許文献】  特開２０１２−１５２３７７号公報
【発明の概要】
【発明が解決しようとする課題】
【０００８】    解決しようとする問題点は、次の通りである。毛皮を持つ動物は厚い被毛が電流を妨げるため、心電位を測定するには剃毛や導電性ゲルの塗布などの手間が必要である。この理由から、動物の日常心拍測定は貴重な情報源となるにも関わらず、実現が難しかった。【０００９】    解決しようとする問題点は、次の通りである。従来の体内音集音装置は衣服の上から測定する際に衣服と集音装置の接触面の擦れがノイズを発生させやすく、地肌に直接接触する必要があるものが多かった。そのため、装着作業のために肌を露出することになりやすく、人前で装着するのは心理的抵抗を伴うという欠陥がある。【００１０】    解決しようとする問題点は、次の通りである。従来の体内音集音装置の典型例としては、古くから聴診器に使われる、金属等のベル型集音装置があげられる。これは、固く、重く、また熱伝導性が高いことから冷たい感触を与えるなどの不快感を伴う傾向があり、体表に長時間密着させるには負担が伴うという欠陥がある。【００１１】    解決しようとする問題点は、次の通りである。従来の体内音集音装置の典型例のもう一つとして、マイクロフォンをシリコンなど肉体と導音性の近い素材で覆うタイプの集音装置がある。これは、シリコン等の素材が時間の経過とともに変質し、導音性が変わってしまい場合によっては月単位の比較的短い期間で機能しなくなるという欠陥がある。また、変質により導音性が変わりにくい素材は入手が困難であるという問題もある。【００１２】    解決しようとする問題点は、次の通りである。従来の体内集音装置の典型例であるベル型集音装置及びシリコンで覆うタイプは、生体への接触面が比較的固いので、接触面が体表面に対して平行に密着していないと、体表面と集音装置の間に隙間ができ、集音性能が下がるという欠陥がある。そのため、動きの激しい動物などに自由行動下で使用することが困難である。【００１３】    解決しようとする問題点は、次の通りである。従来の体内集音装置の典型例であるベル型集音装置及びシリコンで覆うタイプは、体への接触面が比較的固いので、被毛や衣服の擦れがノイズを発生させやすいという欠陥がある。
【課題を解決するための手段】
【００１４】    マイクロフォンの集音面にシート状の集音部を張り、集音部に柔らかいスポンジ状の接触部をつけることで、毛の擦れによるノイズを軽減し、体表面に対する接触効率を高めた、体内音集音装置を作った。
【発明の効果】
【００１５】      本発明の体内音集音装置は、生体表面にやわらかい接触部が触れるので、生体表面に対して集音装置が多少傾いても、傾きを接触部の弾力が吸収するため隙間が発生せず、集音性能が下がりにくい。【００１６】    本発明の体内音集音装置は、生体表面に柔らかい接触部が触れるので、被毛や衣服との擦れを接触部の弾力が吸収し、擦れによるノイズが発生しにくい。これにより、毛皮や衣服の上からの集音が容易になった。【００１７】    本発明の体内音集音装置は、生体表面には柔らかい接触部が接触するので、装着感が柔らかく、冷たい不快感などもなく、装着者への負担が少ない。【００１８】    本発明の構成物は、時間経過による性質の変化が比較的少なく、長期利用に耐えうる。【００１９】    本発明の構成物はいずれも入手が容易なものであり、作成手順も簡易である。
【図面の簡単な説明】
【００２０】
【図１】  本発明の体内音集音装置は柔らかいスポンジ状の接触部（１）とシート状の集音部（２）（例えば、薄いゴムシートなどが利用できる）からなる複合体をマイクロフォンに装着したものである。集音部を安定させるため、必要に応じて補てい部（３）をつける。
【図２】  本発明の体内音集音装置の分解図である。マイクロフォン（４）の集音面を覆うようにシート状の集音部（２）を貼り付け、集音部（２）に柔らかいスポンジ状の接触部（１）を貼り付ける。集音部を安定させるため、必要に応じて補てい部（３）をつける。
【図３】  本発明の体内音集音装置は集音対象が曲面であっても柔らかい接触部（１）の弾力により集音対象表面との密着性が比較的高い。
【発明を実施するための形態】
【００２１】    以下、本発明の実施の形態について説明する。本発明の装置は柔らかいスポンジ状の接触部（１）とシート状の集音部（２）とマイクロフォン（４）により構成される。集音部を安定させるため、必要に応じて補てい部（３）をつける。
【００２２】    以下、本発明の実施の形態について説明する。本発明の装置はマイクロフォン（４）の集音面を覆うようにシート状の集音部（２）を貼り付け、集音部（２）に柔らかいスポンジ状の接触部（１）を貼り付けるものである。集音部を安定させるため、必要に応じて補てい部（３）をつける。
【実施例１】
【００２３】    図３は本発明装置の１実施例であり、生体などの集音対象に接触部（１）を押し当てるようにして体内音を集音する。
【符号の説明】
【００２４】    １    接触部
２    集音部
３    補てい部
４    マイクロフォン
【図１】
2016107028.tif 000003
【図２】
2016107028.tif 000004
【図３】
2016107028.tif 000005